(57)【特許請求の範囲】
【請求項１】
焦点距離可変の撮影光学系と、前記撮影光学系を介して撮像を行う撮像素子と、前記撮影光学系とは異なる光学系を介して被写体を観察可能なファインダ装置とを有する撮像装置であって、
前記ファインダ装置は、前記ファインダ装置の光路上に挿脱可能かつ前記ファインダ装置の焦点距離を変更するための少なくとも１つの変倍レンズと、前記ファインダ装置の被写体側ファインダ窓から入射する光を遮断して前記ファインダ装置の接眼窓への当該光の入射を禁止する閉状態と前記被写体側ファインダ窓から入射する光を通過させて当該光を前記接眼窓に入射させる開状態とを切り替え可能なファインダシャッタとを含み、
前記撮影光学系の焦点距離に応じて前記変倍レンズの挿脱を制御して、前記変倍レンズの挿脱により前記ファインダ装置の焦点距離を変更する変倍レンズ制御部と、
前記ファインダシャッタの状態を制御するファインダシャッタ制御部とを備え、
前記ファインダシャッタ制御部は、前記変倍レンズ制御部によって前記変倍レンズが挿脱のために移動されている間は、前記ファインダシャッタを閉状態に制御し、
前記ファインダ装置は、画像を表示する表示部を含み、
前記表示部に表示される画像は、前記ファインダシャッタが開状態及び閉状態のいずれにおいても前記接眼窓から観察可能であり、
前記ファインダシャッタが開状態のときに、前記表示部に表示される画像と前記被写体側ファインダ窓から入射して前記接眼窓に入射する光像とが重畳された像を前記接眼窓から観察可能に構成され、
前記変倍レンズの移動中に、前記変倍レンズの移動開始直前に前記撮像素子によって撮像された撮像画像を拡大又は縮小しながら前記表示部に表示させる表示制御部を備え、
前記表示制御部は、前記ファインダ装置の焦点距離が増加する方向に前記変倍レンズが移動しているときは前記撮像画像を拡大しながら前記表示部に表示させ、前記ファインダ装置の焦点距離が減少する方向に前記変倍レンズが移動しているときは前記撮像画像を縮小しながら前記表示部に表示させる撮像装置。
【請求項２】
請求項１記載の撮像装置であって、
前記表示制御部は、前記ファインダ装置の焦点距離が増加する方向に前記変倍レンズが移動開始したときは、前記変倍レンズの移動が完了したときに前記撮像画像の大きさと前記接眼窓から見える観察像の大きさとが一致するように前記撮像画像を拡大表示させていき、前記ファインダ装置の焦点距離が減少する方向に前記変倍レンズが移動開始したときは、前記変倍レンズの移動が完了したときに前記撮像画像の大きさと前記接眼窓から見える観察像における撮影範囲の大きさとが一致するように前記撮像画像を縮小表示させていく撮像装置。
【請求項３】
請求項１又は２記載の撮像装置であって、
前記変倍レンズ制御部は、前記撮影光学系の焦点距離が増加して当該焦点距離が予め設定された閾値に達したときと、前記撮影光学系の焦点距離が減少して当該焦点距離が予め設定された閾値を下回ったときに、前記変倍レンズの移動を開始し、
撮影動作中、前記表示部には、前記撮影光学系の焦点距離の設定可能範囲と、前記設定可能範囲における現時点での前記撮影光学系の焦点距離の位置とを示す情報が表示され、
前記設定可能範囲にある前記閾値となる焦点距離を示す情報は、前記設定可能範囲にある他の焦点距離に対応する情報とは区別して表示される撮像装置。
【請求項４】
焦点距離可変の撮影光学系と、前記撮影光学系を介して撮像を行う撮像素子と、前記撮影光学系とは異なる光学系を介して被写体を観察可能なファインダ装置とを有する撮像装置であって、
前記ファインダ装置は、前記ファインダ装置の光路上に挿脱可能かつ前記ファインダ装置の焦点距離を変更するための少なくとも１つの変倍レンズと、前記ファインダ装置の被写体側ファインダ窓から入射する光を遮断して前記ファインダ装置の接眼窓への当該光の入射を禁止する閉状態と前記被写体側ファインダ窓から入射する光を通過させて当該光を前記接眼窓に入射させる開状態とを切り替え可能なファインダシャッタと、表示画像を前記接眼窓から観察可能な表示部と、を含み、
前記撮影光学系の焦点距離に応じて前記変倍レンズの挿脱を制御して、前記変倍レンズの挿脱により前記ファインダ装置の焦点距離を変更する変倍レンズ制御部と、
前記ファインダシャッタの状態を制御するファインダシャッタ制御部とを備え、
前記ファインダシャッタ制御部は、前記変倍レンズ制御部によって前記変倍レンズが挿脱のために移動されている間は、前記ファインダシャッタを閉状態に制御し、
前記変倍レンズ制御部は、前記撮影光学系の焦点距離が増加して当該焦点距離が予め設定された閾値に達したときと、前記撮影光学系の焦点距離が減少して当該焦点距離が予め設定された閾値を下回ったときに、前記変倍レンズの移動を開始し、
撮影動作中、前記表示部には、前記撮影光学系の焦点距離の設定可能範囲と、前記設定可能範囲における現時点での前記撮影光学系の焦点距離の位置とを示す情報が表示され、
前記設定可能範囲にある前記閾値となる焦点距離を示す情報は、前記設定可能範囲にある他の焦点距離に対応する情報とは区別して表示される撮像装置。
【請求項５】
請求項１又は２記載の撮像装置であって、
前記変倍レンズ制御部は、前記撮影光学系の焦点距離が増加して当該焦点距離が予め設定された閾値に達したときと、前記撮影光学系の焦点距離が減少して当該焦点距離が前記閾値を下回ったときに、前記変倍レンズの移動を開始し、
前記閾値を外部操作に応じて設定する閾値設定部を備える撮像装置。
【請求項６】
焦点距離可変の撮影光学系と、前記撮影光学系を介して撮像を行う撮像素子と、前記撮影光学系とは異なる光学系を介して被写体を観察可能なファインダ装置とを有する撮像装置であって、
前記ファインダ装置は、前記ファインダ装置の光路上に挿脱可能かつ前記ファインダ装置の焦点距離を変更するための少なくとも１つの変倍レンズと、前記ファインダ装置の被写体側ファインダ窓から入射する光を遮断して前記ファインダ装置の接眼窓への当該光の入射を禁止する閉状態と前記被写体側ファインダ窓から入射する光を通過させて当該光を前記接眼窓に入射させる開状態とを切り替え可能なファインダシャッタとを含み、
前記撮影光学系の焦点距離に応じて前記変倍レンズの挿脱を制御して、前記変倍レンズの挿脱により前記ファインダ装置の焦点距離を変更する変倍レンズ制御部と、
前記ファインダシャッタの状態を制御するファインダシャッタ制御部とを備え、
前記ファインダシャッタ制御部は、前記変倍レンズ制御部によって前記変倍レンズが挿脱のために移動されている間は、前記ファインダシャッタを閉状態に制御し、
前記変倍レンズ制御部は、前記撮影光学系の焦点距離が増加して当該焦点距離が予め設定された閾値に達したときと、前記撮影光学系の焦点距離が減少して当該焦点距離が前記閾値を下回ったときに、前記変倍レンズの移動を開始し、
前記閾値を外部操作に応じて設定する閾値設定部を備える撮像装置。
【請求項７】
請求項３又は４記載の撮像装置であって、
前記閾値を外部操作に応じて設定する閾値設定部を備える撮像装置。
【請求項８】
請求項５〜７のいずれか１項記載の撮像装置であって、
前記ファインダ装置は、表示画像を前記接眼窓から観察可能な表示部を備え、前記撮影光学系の焦点距離が最小値から前記閾値よりも小さい第二の閾値までの範囲と、前記撮影光学系の焦点距離が前記閾値より大きい第三の閾値から最大値までの範囲では、前記ファインダシャッタを閉状態にして前記撮像素子によって撮影される撮像画像を前記表示部に表示し、
前記閾値設定部は、外部操作に応じて前記閾値、前記第二の閾値、及び前記第三の閾値を設定する撮像装置。
【請求項９】
請求項１〜８のいずれか１項記載の撮像装置であって、
前記変倍レンズ制御部は、前記変倍レンズを移動させている間に、前記撮影光学系の焦点距離が、前記変倍レンズの移動開始時よりも前の値に変更された場合は、前記変倍レンズを移動開始時点の位置に戻すように前記変倍レンズを制御する撮像装置。
【請求項１０】
請求項１〜９のいずれか１項記載の撮像装置であって、
前記変倍レンズ制御部は、動画を記録する動画撮影モード時には、前記変倍レンズの移動を禁止する制御を行う撮像装置。
【発明の詳細な説明】
【技術分野】
【０００１】
本発明は、ファインダ装置を搭載する撮像装置に関する。
【背景技術】
【０００２】
撮影光学系の焦点距離に応じて、ファインダ倍率を簡易な機構によって変更することができる撮像装置のファインダ構造が提案されている（特許文献１，２参照）。【０００３】
特許文献１，２に記載の撮像装置は、広角側レンズと望遠側レンズとのいずれかの変倍レンズを、ファインダ装置の光路上に挿入することができるようになっており、撮影光学系の焦点距離に応じてファインダ倍率を簡単に変更することができるようになっている。
【先行技術文献】
【特許文献】
【０００４】
【特許文献１】日本国特開平１１−３８４７７号公報
【特許文献２】日本国特開平１−２１７４３２号公報
【発明の概要】
【発明が解決しようとする課題】
【０００５】
特許文献１，２に記載されたような構造のファインダ装置は、光路上に変倍レンズを機械的に出し入れするものである。このため、変倍レンズの移動開始から変倍レンズの移動完了までの間、ファインダ装置の接眼窓から見える光学像は乱れることになる。変倍レンズの移動には例えば１，２秒程度かかるため、光学像が乱れる時間は無視できるほど短いものではない。このため、変倍レンズを機械的に出し入れする構造のファインダ装置では、変倍レンズの移動時に、観察者に違和感を与えてしまう。【０００６】
本発明は、上記事情に鑑みてなされたものであり、ファインダ装置の観察者に違和感を与えることなく、ファインダ倍率を変更することのできる撮像装置を提供することを目的とする。
【課題を解決するための手段】
【０００７】
本発明の撮像装置は、焦点距離可変の撮影光学系と、前記撮影光学系を介して撮像を行う撮像素子と、前記撮影光学系とは異なる光学系を介して被写体を観察可能なファインダ装置とを有する撮像装置であって、前記ファインダ装置は、前記ファインダ装置の光路上に挿脱可能かつ前記ファインダ装置の焦点距離を変更するための少なくとも１つの変倍レンズと、前記ファインダ装置の被写体側ファインダ窓から入射する光を遮断して前記ファインダ装置の接眼窓への当該光の入射を禁止する閉状態と前記被写体側ファインダ窓から入射する光を通過させて当該光を前記接眼窓に入射させる開状態とを切り替え可能なファインダシャッタとを含み、前記撮影光学系の焦点距離に応じて前記変倍レンズの挿脱を制御して、前記変倍レンズの挿脱により前記ファインダ装置の焦点距離を変更する変倍レンズ制御部と、前記ファインダシャッタの状態を制御するファインダシャッタ制御部とを備え、前記ファインダシャッタ制御部は、前記変倍レンズ制御部によって前記変倍レンズが挿脱のために移動されている間は、前記ファインダシャッタを閉状態に制御し、前記ファインダ装置は、画像を表示する表示部を含み、前記表示部に表示される画像は、前記ファインダシャッタが開状態及び閉状態のいずれにおいても前記接眼窓から観察可能であり、前記ファインダシャッタが開状態のときに、前記表示部に表示される画像と前記被写体側ファインダ窓から入射して前記接眼窓に入射する光像とが重畳された像を前記接眼窓から観察可能に構成され、前記変倍レンズの移動中に、前記変倍レンズの移動開始直前に前記撮像素子によって撮像された撮像画像を拡大又は縮小しながら前記表示部に表示させる表示制御部を備え、前記表示制御部は、前記ファインダ装置の焦点距離が増加する方向に前記変倍レンズが移動しているときは前記撮像画像を拡大しながら前記表示部に表示させ、前記ファインダ装置の焦点距離が減少する方向に前記変倍レンズが移動しているときは前記撮像画像を縮小しながら前記表示部に表示させるものである。
本発明の撮像装置は、焦点距離可変の撮影光学系と、前記撮影光学系を介して撮像を行う撮像素子と、前記撮影光学系とは異なる光学系を介して被写体を観察可能なファインダ装置とを有する撮像装置であって、前記ファインダ装置は、前記ファインダ装置の光路上に挿脱可能かつ前記ファインダ装置の焦点距離を変更するための少なくとも１つの変倍レンズと、前記ファインダ装置の被写体側ファインダ窓から入射する光を遮断して前記ファインダ装置の接眼窓への当該光の入射を禁止する閉状態と前記被写体側ファインダ窓から入射する光を通過させて当該光を前記接眼窓に入射させる開状態とを切り替え可能なファインダシャッタと、表示画像を前記接眼窓から観察可能な表示部と、を含み、前記撮影光学系の焦点距離に応じて前記変倍レンズの挿脱を制御して、前記変倍レンズの挿脱により前記ファインダ装置の焦点距離を変更する変倍レンズ制御部と、前記ファインダシャッタの状態を制御するファインダシャッタ制御部とを備え、前記ファインダシャッタ制御部は、前記変倍レンズ制御部によって前記変倍レンズが挿脱のために移動されている間は、前記ファインダシャッタを閉状態に制御し、前記変倍レンズ制御部は、前記撮影光学系の焦点距離が増加して当該焦点距離が予め設定された閾値に達したときと、前記撮影光学系の焦点距離が減少して当該焦点距離が予め設定された閾値を下回ったときに、前記変倍レンズの移動を開始し、撮影動作中、前記表示部には、前記撮影光学系の焦点距離の設定可能範囲と、前記設定可能範囲における現時点での前記撮影光学系の焦点距離の位置とを示す情報が表示され、前記設定可能範囲にある前記閾値となる焦点距離を示す情報は、前記設定可能範囲にある他の焦点距離に対応する情報とは区別して表示されるものである。
本発明の撮像装置は、焦点距離可変の撮影光学系と、前記撮影光学系を介して撮像を行う撮像素子と、前記撮影光学系とは異なる光学系を介して被写体を観察可能なファインダ装置とを有する撮像装置であって、前記ファインダ装置は、前記ファインダ装置の光路上に挿脱可能かつ前記ファインダ装置の焦点距離を変更するための少なくとも１つの変倍レンズと、前記ファインダ装置の被写体側ファインダ窓から入射する光を遮断して前記ファインダ装置の接眼窓への当該光の入射を禁止する閉状態と前記被写体側ファインダ窓から入射する光を通過させて当該光を前記接眼窓に入射させる開状態とを切り替え可能なファインダシャッタとを含み、前記撮影光学系の焦点距離に応じて前記変倍レンズの挿脱を制御して、前記変倍レンズの挿脱により前記ファインダ装置の焦点距離を変更する変倍レンズ制御部と、前記ファインダシャッタの状態を制御するファインダシャッタ制御部とを備え、前記ファインダシャッタ制御部は、前記変倍レンズ制御部によって前記変倍レンズが挿脱のために移動されている間は、前記ファインダシャッタを閉状態に制御し、前記変倍レンズ制御部は、前記撮影光学系の焦点距離が増加して当該焦点距離が予め設定された閾値に達したときと、前記撮影光学系の焦点距離が減少して当該焦点距離が前記閾値を下回ったときに、前記変倍レンズの移動を開始し、前記閾値を外部操作に応じて設定する閾値設定部を備えるものである。
【発明の効果】
【０００８】
本発明によれば、ファインダ装置の観察者に違和感を与えることなく、ファインダ倍率を変更することのできる撮像装置を提供することができる。
【図面の簡単な説明】
【０００９】
【図１】本発明の一実施形態を説明するためのデジタルカメラの外観斜視図
【図２】図１に示すデジタルカメラ１０の内部ブロック構成図
【図３】図１に示すデジタルカメラ１０の撮影モード時の動作を説明するためのフローチャート
【図４】図１に示すデジタルカメラ１０の撮影モード時の動作を説明するためのフローチャート
【図５】ファインダ装置１５の接眼窓１７から見える観察像の一例を示す図
【図６】図４に示したフローチャートの変形例を示す図
【図７】ファインダ装置１５の接眼窓１７から見える観察像の一例を示す図
【図８】デジタルカメラ１０の動作の変形例を説明するためのフローチャート
【図９】デジタルカメラ１０の動作の変形例を説明するためのフローチャート
【図１０】ファインダ装置１５の接眼窓１７から見える観察像の一例を示す図
【図１１】図６に示したフローチャートの変形例を示す図
【図１２】デジタルカメラ１０の設定画面例を示す図
【図１３】ファインダ装置１５の接眼窓１７から見える観察像の一例を示す図
【図１４】図１２に示した設定画面にしたがって各種焦点距離を設定したときのデジタルカメラ１０の撮影モード時の動作を説明するためのフローチャート
【図１５】動画撮影モード時におけるデジタルカメラ１０の動作を説明するためのフローチャート
【図１６】ファインダ装置１５の接眼窓１７から見える観察像の一例を示す図
【発明を実施するための形態】
【００１０】
以下、本発明の実施形態について図面を参照して説明する。以下では撮像装置としてのデジタルカメラについて説明する。
【００１１】
図１は、本発明の一実施形態を説明するためのデジタルカメラの外観斜視図である。
【００１２】
デジタルカメラ１０は、矩形の筐体１１を備える。筐体１１の正面中央には沈胴式のレンズ鏡筒１２が設けられている。レンズ鏡筒１２内に撮影レンズ（焦点位置合わせ用のフォーカスレンズやズームレンズ等）１３が収納されている。
【００１３】
筐体１１の上端面の片側にはシャッターレリーズボタン１４が設けられている。筐体１１の上端面のシャッターレリーズボタン１４とは反対側の角にはファインダ装置１５が設けられている。ファインダ装置１５の被写体側ファインダ窓１６は、筐体１１正面の角部に設けられている。被写体側ファインダ窓１６と対向する筐体１１の背面側の部分に、ファインダ装置１５の接眼窓１７が設けられている。
【００１４】
図２は、図１に示すデジタルカメラ１０の内部ブロック構成図である。
【００１５】
デジタルカメラ１０は、ＣＣＤ型の固体撮像素子２１ａと、固体撮像素子２１ａの前段に置かれた撮影光学系と、固体撮像素子２１ａの出力信号（撮影画像信号）をアナログ信号処理するＣＤＳＡＭＰ２５ａと、ＣＤＳＡＭＰ２５ａの出力信号をデジタル信号に変換するアナログデジタル（Ａ／Ｄ）変換器２６ａと、ファインダ装置１５とを備える。撮影光学系は、撮影レンズ１３（ズームレンズを１３ａ、フォーカスレンズを１３ｂとしている）と、絞り（アイリス）２４とを含んで構成されている。
【００１６】
なお、固体撮像素子２１ａは、図２の例ではＣＣＤ型であるが、ＣＭＯＳ型等の他の形式の固体撮像素子でも良い。
【００１７】
ファインダ装置１５は、被写体側ファインダ窓１６と、接眼窓１７と、ＯＶＦシャッタ６２と、変倍レンズ６４と、焦点距離固定の対物レンズ６５と、ハーフミラー６３を内部に持つプリズム６６と、表示部６１とを備える。被写体側ファインダ窓１６と接眼窓１７との間には、ＯＶＦシャッタ６２と、変倍レンズ６４と、対物レンズ６５と、プリズム６６とが、ファインダ装置１５の入射光軸Ｌに沿ってこの順に配置されている。
【００１８】
ＯＶＦシャッタ６２は、光軸Ｌに沿う光路上に挿脱可能に設けられている。ＯＶＦシャッタ６２は、ファインダ装置１５の光路上に挿入された閉状態と、ファインダ装置１５の光路上から退避させられた開状態とをとることができる。
【００１９】
ＯＶＦシャッタ６２は、閉状態では、被写体側ファインダ窓１６を覆う位置に挿入される。このため、この閉状態では、被写体側ファインダ窓１６に入射した光はＯＶＦシャッタ６２によって遮断され、当該光が接眼窓１７に入射することはない。
【００２０】
ＯＶＦシャッタ６２は、開状態では、被写体側ファインダ窓１６を覆わない位置に退避させられる。このため、この開状態では、被写体側ファインダ窓１６に入射した光はＯＶＦシャッタ６２によって遮断されずに通過し、当該光が接眼窓１７に入射する。
【００２１】
ＯＶＦシャッタ６２は、光を吸収又は反射する板状の部材を機械的に出し入れするものであってもよいし、電気的に透過率を制御できる素子（例えば液晶シャッタ）であってもよい。
【００２２】
変倍レンズ６４は、ファインダ装置１５の光路上に挿脱可能に設けられている。変倍レンズ６４は、ファインダ装置１５の焦点距離を変更する（本例では望遠側に伸ばす）ためのものである。変倍レンズ６４は、デジタルカメラ１０の撮影光学系の焦点距離（ズームレンズ１３ａの位置で決まる値）が最小値以上第一の閾値以下の範囲では、ファインダ装置１５の光路上から退避した位置に制御される。また、変倍レンズ６４は、デジタルカメラ１０の撮影光学系の焦点距離が第一の閾値を超えて最大値までの範囲では、ファインダ装置１５の光路上に挿入した位置に制御される。
【００２３】
ハーフミラー６３は、光軸Ｌに対して斜め４５度に設置されている。
【００２４】
表示部６１は、例えば液晶表示装置によって構成されており、ハーフミラー６３に隣接しかつ光軸Ｌに対し平行に配置されている。表示部６１は、表示画面上において情報を表示させたい部分だけバックライトの光を透過させ、それ以外の部分のバックライト光は透過させないようにする（黒表示にする）ことで、情報の表示を行う。
【００２５】
これにより、ＯＶＦシャッタ６２が開状態のときには、ハーフミラー６３を透過した被写体からの入射光（ＯＶＦ光学像）と、表示部６１から発せられハーフミラー６３で反射した光（表示部６１に表示されるＥＶＦ画像）とが重畳された像を、接眼窓１７から確認することができる。
【００２６】
ＯＶＦシャッタ６２を開状態としかつ表示部６１を非表示状態（オフ）にすることで、ファインダ装置１５は光学式ビューファインダ（ＯＶＦ）として使用される。また、ＯＶＦシャッタ６２を閉状態としかつ表示部６１を表示状態（オン）にすることで、ファインダ装置１５は電子ビューファインダ（ＥＶＦ）として使用されることになる。
【００２７】
更に、ＯＶＦシャッタ６２を開状態としかつ表示部６１を表示状態にすることで、被写体の構図と、表示部６１に表示される画像とを同時に同一ファインダ枠内で確認することができる。
【００２８】
なお、ファインダ装置１５は、ＯＶＦシャッタ６２が開状態のときに、表示部６１に表示する画像と被写体側ファインダ窓１６から見える被写体像（ＯＶＦ光学像）とが重畳された像を、接眼窓１７を通して観察可能なものであればよく、他の構造を採用することもできる。例えば、図２のファインダ装置１５の構成からプリズム６６と表示部６１を削除し、プリズム６６があった位置に、シースルー型の表示部を表示面が光軸Ｌに対して垂直になるように配置したものであってもよい。
【００２９】
デジタルカメラ１０は、更に、Ａ／Ｄ変換器２６ａから出力されるデジタルの撮影画像信号を取り込む画像入力コントローラ８０と、このデジタルカメラ１０の全体を統括制御する演算処理装置（ＣＰＵ）８２と、画像入力コントローラ８０によって取り込まれた撮影画像信号を画像処理して撮影画像データを生成する画像信号処理回路８３と、固体撮像素子２１ａから出力される撮影画像信号から焦点位置を検出するＡＦ検出回路８４と、露出量，ホワイトバランスを自動検出するＡＥ＆ＡＷＢ検出回路３５と、ワークメモリとして使用するＲＡＭや各種データを記憶するＲＯＭ等を含むメモリ３６と、画像処理後の撮影画像データをＪＰＥＧ画像やＭＰＥＧ画像に圧縮する圧縮処理回路３９と、カメラ背面等に設けられた液晶表示装置（ＬＣＤ）４０に撮影画像やライブビュー画像を表示させたり、後述する各種画像をファインダ装置１５内の表示部６１に表示させたりする表示制御部８１と、記録媒体４２に撮影画像データを記録するメディアコントローラ４３と、これらを相互接続するバス４４とを備える。
【００３０】
ＣＰＵ８２には、図１に示したシャッターレリーズボタン１４と図示しないズームボタンを含む操作部５０が接続されている。この操作部５０を介して入力されるユーザ指示に基づき、ＣＰＵ８２はデジタルカメラ１０を制御する。
【００３１】
デジタルカメラ１０は、更に、ズームレンズ１３ａの駆動モータに駆動パルスを供給するモータドライバ４６と、フォーカスレンズ１３ｂの駆動モータに駆動パルスを供給するモータドライバ４７と、絞り２４の絞り制御を行う駆動モータに駆動パルスを供給するモータドライバ４８と、ＯＶＦシャッタ６２の位置制御を行うモータに駆動パルスを供給するモータドライバ５３と、変倍レンズ６４の位置制御を行うモータに駆動パルスを供給するモータドライバ５４と、固体撮像素子２１ａに駆動タイミングパルスを供給するタイミングジェネレータ４９とを備える。モータドライバ４６，４７，４８，５３，５４及びタイミングジェネレータ４９は、ＣＰＵ８２からの指令に基づいて動作する。また、ＣＤＳＡＭＰ２５ａもＣＰＵ８２からの指令に基づいて動作する。
【００３２】
次に、以上のように構成されたデジタルカメラ１０の撮影モード時の動作について説明する。以下では、一例として、デジタルカメラ１０の撮影光学系の焦点距離の最小値を３５ｍｍ、変倍レンズ６４を移動させるときの焦点距離の閾値（上記第一の閾値）を１０１ｍｍ、撮影光学系の焦点距離の最大値を１５０ｍｍ、変倍レンズ６４挿入前のファインダ装置１５の焦点距離を３５ｍｍ、変倍レンズ６４挿入後のファインダ装置１５の焦点距離を１００ｍｍとして説明する。また、ＯＶＦシャッタ６２は、撮影モード設定時には開状態になっているものとする。また、撮影モードに設定された時点では、変倍レンズ６４は光路上に挿入されていないものとする。
【００３３】
図３及び図４は、図１に示すデジタルカメラ１０の撮影モード時の動作を説明するためのフローチャートである。
【００３４】
撮影モードに設定されると、ＣＰＵ８２は、ファインダ装置１５をＯＶＦとして使用するＯＶＦモード（ファインダ装置１５の対物レンズ６５を通して被写体像を確認するモード）の設定がなされているかどうかを判定する（ステップＳ１）。
【００３５】
ＯＶＦモードの設定がなされていない場合（ステップＳ１：ＮＯ）、ＣＰＵ８２はモータドライバ５３を介してＯＶＦシャッタ６２を閉状態に制御する（ステップＳ２）。続いて、ＣＰＵ８２は、撮像素子２１ａによって撮影して得られるライブビュー画像を、表示制御部８１を介して表示部６１又は液晶表示装置４０に表示させる（ステップＳ１３）。ライブビュー画像をどちらの表示部に表示させるかは、ユーザによって設定可能である。また、表示部６１と表示部４０の両方にライブビュー画像を表示させる設定も可能である。
【００３６】
ステップＳ１３の後、ＣＰＵ８２は、ステップＳ１４において再びＯＶＦモードの設定を確認し、ＯＶＦモードが設定されていれば、ＯＶＦシャッタ６２を開状態に制御すると共にステップＳ３の処理を行い、ＯＶＦモードが設定されていなければステップＳ１３の処理を継続して行う。
【００３７】
ステップＳ１の判定がＹＥＳのとき、ＣＰＵ８２は、ズームレンズ１３ａの位置によって決まる焦点距離に基づいて、接眼窓１７から見える被写界範囲における撮影光学系の撮影範囲を示すブライトフレーム枠（ＢＦ枠）の表示用データを生成する。また、ＣＰＵ８２は、フォーカスレンズ１３ｂの位置に応じて、上記撮影範囲におけるフォーカスエリアを示すＡＦ枠の表示用データを生成する。そして、ＣＰＵ８２は、これら表示用データを表示制御部８１に送信し、表示制御部８１が、これら表示用データに基づくＢＦ枠とＡＦ枠を表示部６１に表示させる（ステップＳ３）。
【００３８】
ステップＳ３の後、ＣＰＵ８２は、操作部５０に含まれるズームボタンによるズーム操作がなされたか否かを判定する（ステップＳ４）。
【００３９】
ズーム操作がなされなかった場合（ステップＳ４：ＮＯ）、ＣＰＵ８２は、フォーカスレンズ１３ｂが移動したかどうかを判定する（ステップＳ５）。そして、ＣＰＵ８２は、フォーカスレンズ１３ｂが移動していた場合（ステップＳ５：ＹＥＳ）はステップＳ３に処理を戻し、フォーカスレンズ１３ｂの位置に応じて表示部６１に表示させるＡＦ枠を更新する。
【００４０】
フォーカスレンズ１３ｂが移動していない場合（ステップＳ５：ＮＯ）、ＣＰＵ８２は、ステップＳ６にてＯＶＦモードが設定されているか否かを判定する。ＣＰＵ８２は、ＯＶＦモードが設定されていれば（ステップＳ６：ＹＥＳ）ステップＳ４に処理を戻し、ＯＶＦモードが設定されていなければ（ステップＳ６：ＮＯ）、ステップＳ２の処理を行う。
【００４１】
ズーム操作がなされた場合（ステップＳ４：ＹＥＳ）、ＣＰＵ８２は、このズーム操作に応じて変化した焦点距離が上記第一の閾値（＝１０１ｍｍ）以上か否かを判定する（図４のステップＳ７）。ＣＰＵ８２は、ステップＳ７の判定がＹＥＳのときにステップＳ８以降の処理を行い、ステップＳ７の判定がＮＯのときにステップＳ１５以降の処理を行う。
【００４２】
ステップＳ８とステップＳ１５において、ＣＰＵ８２は、ファインダ装置１５の光路上に変倍レンズ６４が挿入されているかどうかを判定する。
【００４３】
ステップＳ１５の判定において、ファインダ装置１５の光路上に変倍レンズ６４が挿入されていなかった場合（ステップＳ１５：ＮＯ）、ＣＰＵ８２は図３のステップＳ３の処理を行う。
【００４４】
図５のＦＩＧ５Ａは、撮影モード開始後にズーム操作を行って焦点距離が５０ｍｍになったときのファインダ装置１５の接眼窓１７から見える観察像を示した図である。この図に示すように、観察像は、被写体側ファインダ窓１６から見えるＯＶＦ光学像３２にＢＦ枠３０とＡＦ枠３１が重畳されたものとなっている。
【００４５】
図５のＦＩＧ５Ｂは、ＦＩＧ５Ａの状態から更に望遠側にズーム操作がなされて、焦点距離が１００ｍｍになったとき（ステップＳ７：ＮＯかつステップＳ１５：ＮＯのとき）のファインダ装置１５の接眼窓１７から見える観察像を示した図である。この図に示すように、ズーム操作によって焦点距離が大きくなると、それに合わせて、ＢＦ枠３０が小さく表示される。
【００４６】
ＣＰＵ８２は、ステップＳ８の判定において、ファインダ装置１５の光路上に変倍レンズ６４が挿入されていた場合（ステップＳ８：ＹＥＳ）は図３のステップＳ３の処理を行い、ファインダ装置１５の光路上に変倍レンズ６４が挿入されていない場合（ステップＳ８：ＮＯ）はステップＳ９の処理を行う。
【００４７】
例えば、図５のＦＩＧ５Ｂの状態（焦点距離＝１００ｍｍ）からズーム操作によって焦点距離が１０１ｍｍになると、ＣＰＵ８２はステップＳ９の処理を行う。ステップＳ９において、ＣＰＵ８２は、ＯＶＦシャッタ６２を閉状態に制御すると共に、表示部６１をオフ（表示部６１を全面黒表示、バックライトをオフ、又は表示部６１の電源をオフ）する。
【００４８】
続いて、ＣＰＵ８２は、モータドライバ５４を介して、光路上への変倍レンズ６４の挿入を開始する（ステップＳ１０）。
【００４９】
図５のＦＩＧ５Ｃは、ＦＩＧ５Ｂの状態から更に望遠側にズーム操作がなされ、ステップＳ９の処理が行われた後のファインダ装置１５の接眼窓１７から見える観察像を示した図である。ステップＳ９の処理により、ＯＶＦシャッタ６２は閉状態になり、表示部６１はオフになる。このため、この図に示したように、接眼窓１７からは、表示部６１の黒画面とＯＶＦシャッタ６２そのものとが重畳された像３３が見えることになる。
【００５０】
ステップＳ１０では、変倍レンズ６４が移動を開始するが、このとき、変倍レンズ６４はＯＶＦシャッタ６２によって遮光されている。このため、変倍レンズ６４の移動している様子が観察窓１７から見えてしまうことはない。
【００５１】
ステップＳ１０において変倍レンズ６４の挿入を開始した後、ＣＰＵ８２は、変倍レンズ６４の挿入が完了したかを判定する（ステップＳ１１）。変倍レンズ６４の挿入が完了すると（ステップＳ１１：ＹＥＳ）、ＣＰＵ８２は、ＯＶＦシャッタ６２を開状態に制御すると共に、表示部６１をオンし（ステップＳ１２）、図３のステップＳ３の処理を行う。
【００５２】
図５のＦＩＧ５Ｄは、ＦＩＧ５Ｃの状態から変倍レンズ６４の移動が完了した後の接眼窓１７から見える観察像を示す図である。この図に示すように、変倍レンズ６４の移動完了後は、ＦＩＧ５Ｂに示したＢＦ枠３０内の被写体像が拡大された像が接眼窓１７から見え、この被写体像の僅か内側にＢＦ枠３０が重畳される。
【００５３】
ＣＰＵ８２は、ステップＳ１５の判定において、ファインダ装置１５の光路上に変倍レンズ６４が挿入されていた場合（ステップＳ１５：ＹＥＳ）はＯＶＦシャッタ６２を閉状態に制御すると共に、表示部６１をオフ（表示部６１を全面黒表示、バックライトをオフ、又は表示部６１の電源をオフ）する（ステップＳ１６）。
【００５４】
例えば、図５のＦＩＧ５Ｄの状態から広角側のズーム操作がなされて焦点距離が１００ｍｍになると、ＣＰＵ８２はステップＳ１６の処理を行い、この処理により、観察像はＦＩＧ５Ｃに示すようになる。
【００５５】
続いて、ＣＰＵ８２は、モータドライバ５４を介して、光路上から変倍レンズ６４を退避させる（ステップＳ１７）。
【００５６】
ステップＳ１７では、変倍レンズ６４が移動を開始するが、このとき、変倍レンズ６４はＯＶＦシャッタ６２によって遮光されている。このため、変倍レンズ６４の移動している様子が観察窓１７から見えてしまうことはない。
【００５７】
ステップＳ１７において変倍レンズ６４の退避を開始した後、ＣＰＵ８２は、変倍レンズ６４の退避が完了したかを判定する（ステップＳ１８）。変倍レンズ６４の退避が完了すると（ステップＳ１８：ＹＥＳ）、ＣＰＵ８２は、ＯＶＦシャッタ６２を開状態に制御すると共に、表示部６１をオンし（ステップＳ１９）、図３のステップＳ３の処理を行う。
【００５８】
以上のように、デジタルカメラ１０によれば、変倍レンズ６４をファインダ装置１５の光路上に挿入する場合と、変倍レンズ６４をファインダ装置１５の光路上から退避する場合のいずれにおいても、変倍レンズ６４の移動中は、ＯＶＦシャッタ６２が閉じられる。このため、変倍レンズ６４が移動している間のＯＶＦ光学像の変化による違和感をユーザに与えることがなく、デジタルカメラ１０の使い勝手を向上させることができる。
【００５９】
なお、図１，２に示すデジタルカメラ１０は、ファインダ装置１５内に表示部６１を含むものとしたが、この表示部６１は省略しても、上述した効果を得ることができる。
【００６０】
図６は、図４に示したフローチャートの変形例を示す図である。図６において図４と同じ処理には同一符号を付して説明を省略する。
【００６１】
ステップＳ８の判定がＮＯのとき（変倍レンズ６４が光路に挿入されていない状態で焦点距離が１００ｍｍから１０１ｍｍに変化したとき）、ＣＰＵ８２は、ＯＶＦシャッタ６２を閉状態に制御すると共に、変倍レンズ６４の挿入を開始させる（ステップＳ２０）。
【００６２】
次に、ＣＰＵ８２は、焦点距離が１０１ｍｍになる直前に撮像素子２１ａで撮影して得られた撮像画像データ（焦点距離＝１００ｍｍの撮像画像データ。ＦＩＧ７Ａ参照）を取得し、この撮像画像データを、焦点距離が１０１ｍｍになる直前に表示部６１に表示させていたＢＦ枠（焦点距離１００ｍｍのときの枠）と同じ大きさまで縮小する（ステップＳ２１）。
【００６３】
次に、ＣＰＵ８２は、縮小した撮像画像データに基づく画像（縮小画像）を表示部６１に表示させる（ステップＳ２２）。このとき、ＣＰＵ８２は、焦点距離＝１００ｍｍのときに表示部６１に表示されていたＢＦ枠と同じ位置に当該縮小画像を表示させると共に、当該縮小画像以外の領域をグレー表示にする。
【００６４】
図７のＦＩＧ７Ｂは、図６のステップＳ２２の処理が行われた後のファインダ装置１５の接眼窓１７から見える観察像を示した図である。この図に示すように、ＢＦ枠が表示されていた位置には縮小画像４０ａが観察され、それ以外の領域４１はグレー色の画面が観察される。
【００６５】
次に、ＣＰＵ８２は、ＦＩＧ７Ｃに示すように、縮小画像４０ａを拡大表示させる（ステップＳ２３）。
【００６６】
ＣＰＵ８２は、変倍レンズ６４の挿入が完了するまでステップＳ２３の処理を繰り返し行う。つまり、ＣＰＵ８２は、変倍レンズ６４が移動を開始すると、表示部６１に表示する縮小画像４０ａを徐々に大きくしていく制御を行う。ＣＰＵ８２は、変倍レンズ６４の移動が完了した時点で、図７のＦＩＧ７Ｂ，７Ｃに示したグレーの領域４１が完全になくなるように、縮小画像４０ａを徐々に拡大表示させていく。
【００６７】
図７のＦＩＧ７Ｄは、変倍レンズ６４の移動が完了した時点における、ファインダ装置１５の接眼窓１７から見える観察像を示した図である。ＦＩＧ７Ｄに示すように、変倍レンズ６４の移動が完了した時点で、観察像にグレーの領域はなくなり、表示部６１の表示面全体に縮小画像４０ａが表示された状態になる。
【００６８】
そして、変倍レンズ６４の挿入が完了すると（ステップＳ２４：ＹＥＳ）、ＣＰＵ８２は、ＯＶＦシャッタ６２を開状態に制御し（ステップＳ２５）、その後、図３のステップＳ３の処理を行う。
【００６９】
図７のＦＩＧ７Ｅは、ＦＩＧ７Ｄの観察像が見えている状態からステップＳ２５の処理が行われてＯＶＦシャッタ６２が開き、更にステップＳ３の処理が行われて、表示部６１にＢＦ枠３０とＡＦ枠３１が表示されたときの観察像を示した図である。変倍レンズ６４の挿入完了後は、ファインダ装置１５の焦点距離が１００ｍｍになる。このため、接眼窓１７からは、焦点距離＝１００ｍｍのときに撮像素子２１ａで撮影していた撮像画像（ＦＩＧ７Ａ）にほぼ等しいＯＶＦ光学像が確認でき、更に、このＯＶＦ光学像の僅か内側には、ＢＦ枠３０が重ねて表示される。
【００７０】
ステップＳ１５の判定がＹＥＳのとき（変倍レンズ６４が光路に挿入されている状態で焦点距離が１０１ｍｍから１００ｍｍに変化したとき）、ＣＰＵ８２は、ＯＶＦシャッタ６２を閉状態に制御すると共に、変倍レンズ６４を光路上から退避させる（ステップＳ２６）。
【００７１】
ステップＳ２６の後、ＣＰＵ８２は、焦点距離が１０１ｍｍのときに撮像素子２１ａで撮影して得られた撮像画像データ（ＦＩＧ７ＥのＢＦ枠３０内の撮像画像データ）を取得し、この撮像画像データを表示部６１の表示面全体に表示させる（ステップＳ２７）。
【００７２】
次に、ＣＰＵ８２は、表示部６１に表示させている撮像画像を縮小表示させる（ステップＳ２８）。
【００７３】
ＣＰＵ８２は、変倍レンズ６４の退避が完了するまでステップＳ２８の処理を繰り返し行う。つまり、ＣＰＵ８２は、変倍レンズ６４が移動を開始すると、表示部６１に表示する撮像画像を徐々に小さくしていく制御を行う。ＣＰＵ８２は、変倍レンズ６４の移動が完了した時点で、焦点距離＝１００ｍｍのときのＢＦ枠を表示すべき位置に、この撮像画像が表示されるように、撮像画像の表示を行う。変倍レンズ６４の移動が完了した時点でのファインダ装置１５の接眼窓１７から見える観察像はＦＩＧ７Ｂに示したものと同じようになる。
【００７４】
そして、変倍レンズ６４の退避が完了すると（ステップＳ２９：ＹＥＳ）、ＣＰＵ８２は、ＯＶＦシャッタ６２を開状態に制御し（ステップＳ３０）、その後、図３のステップＳ３の処理を行う。このステップＳ３の処理が行われると、観察像は例えばＦＩＧ５Ｂに示すようなものとなる。
【００７５】
以上のように、この変形例によれば、変倍レンズ６４の移動中に、変倍レンズ６４を挿入又は退避することによるＯＶＦ光学像の変化を、表示部６１に表示させる撮像画像によって擬似的に表現することができる。実際には、変倍レンズ６４が挿入又は退避されると、ＯＶＦ光学像はＦＩＧ７Ｂ〜７Ｄに示したように変化はしない。例えば、変倍レンズ６４が水平方向に移動するものであった場合は、ＯＶＦ光学像の水平方向の一方の端部から徐々に焦点距離が変化していくことになる。この変化が、前述した変倍レンズ６４移動中の観察像の乱れとなるが、デジタルカメラ１０では、変倍レンズ６４の移動中はＯＶＦシャッタ６２を閉じるため、この観察像の乱れは問題にならない。更に、図６に示した変形例によれば、変倍レンズ６４の移動中におけるＯＶＦ光学像の変化を擬似的に確認することができる。このため、変倍レンズ６４の移動前後で観察像が急激に変化するのを防ぐことができ、撮影者の負担を軽減することができる。
【００７６】
図８及び図９は、デジタルカメラ１０の動作の別の変形例を説明するためのフローチャートである。
【００７７】
図８は、図３において、ステップＳ１とステップＳ３の間にステップＳ４０を追加し、ステップＳ４の後にステップＳ４１を追加したものである。図９は、図６において、ステップＳ２３とステップＳ２４の間にステップＳ４２，ステップＳ４３を追加し、ステップＳ２８とステップＳ２９の間にステップＳ４４，ステップＳ４５を追加したものである。なお、図８，９では、図３，４，６と区別するために、図３，４，６に示した“Ａ”を“Ｃ”に変更し、“Ｂ”を“Ｄ”に変更している。
【００７８】
図８のステップＳ４０では、ＣＰＵ８２が、デジタルカメラ１０の撮影光学系に設定可能な焦点距離の範囲と、その範囲における現時点での焦点距離（ズームレンズ１３ａの位置によって決まる焦点距離）の位置とを表示するための画像データを生成する。この画像データは、例えば、図１０に示した符号７０で示すズームメモリを表示するためのデータである。
【００７９】
図１０に示したズームメモリ７０に含まれる正方形のブロックと、菱形のブロックは、それぞれ、所定の焦点距離範囲に対応している。例えば、ズームメモリ７０の左端のブロックは、焦点距離３５ｍｍ〜４０ｍｍに対応し、その右隣のブロックは、焦点距離４１ｍｍ〜５０ｍｍに対応し、その右隣のブロックは、焦点距離５１ｍｍ〜６０ｍｍに対応し、その右隣のブロックは、焦点距離６１ｍｍ〜７０ｍｍに対応し、その右隣のブロックは、焦点距離７１ｍｍ〜８０ｍｍに対応し、その右隣のブロックは、焦点距離８１ｍｍ〜９０ｍｍに対応し、その右隣のブロックは、焦点距離９１ｍｍ〜１００ｍｍに対応する。また、ズームメモリ７０の菱形のブロックは、焦点距離１０１ｍｍ〜１１０ｍｍに対応し、その右隣のブロックは、焦点距離１１１ｍｍ〜１２０ｍｍに対応し、その右隣のブロックは、焦点距離１２１ｍｍ〜１３０ｍｍに対応し、その右隣のブロックは、焦点距離１３１ｍｍ〜１４０ｍｍに対応し、その右隣のブロックは、焦点距離１４１ｍｍ〜１５０ｍｍに対応する。
【００８０】
ズームメモリ７０は、上記第一の閾値（＝１０１ｍｍ）を含む焦点距離範囲に対応するブロックが、その他の焦点距離範囲に対応するブロックとは区別して表示される。
【００８１】
また、ズームメモリ７０に含まれる各ブロックは、デジタルカメラ１０の撮影光学系の焦点距離が、該当ブロックに対応する焦点距離範囲に入った場合に、網掛け表示がなされるようになっている。したがって、このズームメモリ７０により、デジタルカメラ１０の撮影光学系の焦点距離がどの程度となっているかを知ることができる。
【００８２】
図８のステップＳ４１では、ズーム操作によって変更された焦点距離にしたがって、ＣＰＵ８２が、ズームメモリ７０の表示を更新する制御を行う。図１０のＦＩＧ１０Ａは、焦点距離５０ｍｍのときの観察像を示し、図１０のＦＩＧ１０Ｂは、焦点距離１００ｍｍのときの観察像を示している。ＦＩＧ１０Ａ，ＦＩＧ１０Ｂに示すように、ズーム操作によって焦点距離が増加すると、これに合わせてズームメモリ７０内の網掛けされるブロックの数が増えていく。
【００８３】
そして、焦点距離が１０１ｍｍになって、図９のステップＳ７の判定がＹＥＳとなり、更に、ステップＳ８の判定がＮＯのときにステップＳ２０〜Ｓ２２の処理が行われると、図１０のＦＩＧ１０Ｃに示すように、ズームメモリ７０の菱形のブロックに網掛けがなされると共に、ＢＦ枠３０が表示されていた位置に縮小画像４０ａが表示される。
【００８４】
ＣＰＵ８２は、図９のステップＳ２３で縮小画像４０ａの拡大表示を開始した後、ステップＳ４２にてズーム操作の有無を判定し、ズーム操作があった場合（ステップＳ４２：ＹＥＳ）は、ズームメモリ７０の表示を更新する（ステップＳ４３）。
【００８５】
例えば、ＦＩＧ１０Ｃの状態から時間が経過し、この経過時間の間も焦点距離を増加させるズーム操作がなされていると、観察像はＦＩＧ１０Ｄのように変化する。そして、変倍レンズ６４の移動が完了してＯＶＦシャッタ６２が開状態になると、観察像はＦＩＧ１０Ｅのようになる。
【００８６】
ＣＰＵ８２は、変倍レンズ６４を退避させる場合も同様に、図９のステップＳ２８の後にズーム操作の有無を判定し（ステップＳ４４）、ズーム操作があった場合（ステップＳ４４：ＹＥＳ）にはズームメモリ７０の表示を更新する（ステップＳ４５）。
【００８７】
以上のように、図８，９に示した変形例によれば、撮影光学系の焦点距離の設定範囲と、この設定範囲における現時点での撮影光学系の焦点距離の位置とを示す情報であるズームメモリ７０をファインダ装置１５の接眼窓１７から確認することができる。また、このズームメモリ７０は、変倍レンズ６４の移動が開始されるときの閾値となる焦点距離（＝１０１ｍｍ）に対応するブロックが他のブロックとは区別して表示される。このため、撮影者は、ズームメモリ７０を見ることにより、変倍レンズ６４の切り替わりタイミングを知ることができ、ファインダ倍率の変更を行いたくないときにはズーム操作を調整するといったことが可能になる。
【００８８】
図１１は、図６に示したフローチャートの変形例を示す図である。図１１は、図６において、ステップＳ２２の後にステップＳ５１とステップＳ５２を追加し、ステップＳ２８の後にステップＳ５３とステップＳ５４を追加したものとなっている。
【００８９】
図１１のステップＳ２２の後、ＣＰＵ８２は、撮影光学系の焦点距離が第一の閾値以上か否かを判定する（ステップＳ５１）。焦点距離が第一の閾値未満になっていた場合（ステップＳ５１：ＮＯ）、ＣＰＵ８２は、変倍レンズ６４の挿入を停止し、変倍レンズ６４を退避させる制御を行う（ステップＳ５２）。ステップＳ５２の後、ＣＰＵ８２は、ステップＳ２９に処理を移行する。ステップＳ５１の判定がＮＯとなるのは、例えば、焦点距離が１００ｍｍから１０１ｍｍ以上に変更された後に、ズーム操作が逆に行われて、焦点距離が１００ｍｍ以下に変更された場合である。
【００９０】
焦点距離が第一の閾値以上の場合（ステップＳ５１：ＹＥＳ）、ＣＰＵ８２はステップＳ２３の処理を行う。
【００９１】
図１１のステップＳ２８の後、ＣＰＵ８２は、撮影光学系の焦点距離が第一の閾値以上であるか否かを判定する（ステップＳ５３）。焦点距離が第一の閾値以上であった場合（ステップＳ５３：ＹＥＳ）、ＣＰＵ８２は、変倍レンズ６４の退避を停止し、変倍レンズ６４を挿入させる制御を行う（ステップＳ５４）。ステップＳ５４の後、ＣＰＵ８２は、ステップＳ２４に処理を移行する。
【００９２】
焦点距離が第一の閾値未満の場合（ステップＳ５３：ＮＯ）、ＣＰＵ８２はステップＳ２９の処理を行う。
【００９３】
以上のように、図１１に示した変形例によれば、ズーム操作によって変倍レンズ６４の移動が開始した場合でも、焦点距離に応じてその移動を中断して、変倍レンズ６４を逆方向に移動させることができる。このため、変倍レンズ６４の無駄な動きを減らすことができ、変倍レンズ６４の移動開始から所望のＯＶＦ光学像を確認するまでの時間を短縮することができる。
【００９４】
ここまでは、デジタルカメラ１０の撮影光学系の焦点距離の最小値を３５ｍｍ、変倍レンズ６４を移動させるときの焦点距離の閾値（上記第一の閾値）を１０１ｍｍ、撮影光学系の焦点距離の最大値を１５０ｍｍ、変倍レンズ６４挿入前のファインダ装置１５の焦点距離を３５ｍｍ、変倍レンズ６４挿入後のファインダ装置１５の焦点距離を１００ｍｍとして説明してきた。これらの焦点距離の値は一例であるが、デジタルカメラ１０の撮影光学系の焦点距離の最小値が、変倍レンズ６４挿入前のファインダ装置１５の焦点距離よりも小さい場合も有り得る。
【００９５】
このように、デジタルカメラ１０の撮影光学系の焦点距離の最小値が、変倍レンズ６４挿入前のファインダ装置１５の焦点距離よりも小さい場合には、変倍レンズ６４挿入前のファインダ装置１５の焦点距離よりも広角側にズーム操作がなされたときに、ファインダ装置１５の接眼窓１７から見えるＯＶＦ光学像では正確な撮影範囲を確認することができない。
【００９６】
そこで、このような場合には、ＣＰＵ８２が、変倍レンズ６４挿入前のファインダ装置１５の焦点距離（ファインダ装置１５の焦点距離の最小値）よりも小さな焦点距離になったときに、ＯＶＦシャッタ６２を閉状態にし、撮像素子２１ａで撮影中の撮像画像を表示部６１に表示させる制御を行う。つまり、ＣＰＵ８２は、ファインダ装置１５をＥＶＦとして動作させる。
【００９７】
また、変倍レンズ６４挿入後のファインダ装置１５の焦点距離を超えて望遠側にズーム操作がなされると、例えば図７のＦＩＧ７Ｅの状態からＢＦ枠３０が小さくなっていくことになるが、ＢＦ枠３０が小さくなり過ぎると、それに応じてＡＦ枠３１も小さくなるため、撮影範囲のどこにピントが合っているか分かりにくくなる。
【００９８】
そこで、ＣＰＵ８２は、変倍レンズ６４挿入後のファインダ装置１５の焦点距離（ファインダ装置１５の焦点距離の最大値）と、デジタルカメラ１０の撮影光学系の焦点距離の最大値との間における所定の焦点距離の値を超えてズーム操作がなされた場合には、ＯＶＦシャッタ６２を閉状態にし、撮像素子２１ａで撮影中の撮像画像を表示部６１に表示させる制御を行うことが好ましい。つまり、この場合、ＣＰＵ８２は、ファインダ装置１５をＥＶＦとして動作させることが好ましい。
【００９９】
このように、デジタルカメラ１０は、ワイド端付近とテレ端付近ではファインダ装置１５をＥＶＦとして動作させ、ワイド端とテレ端の間の焦点距離ではファインダ装置１５をＯＶＦとして動作させることができる。
【０１００】
ＣＰＵ８２は、操作部５０から入力される情報にしたがって、ファインダ装置１５をＥＶＦとして動作させる焦点距離範囲と、変倍レンズ６４の移動を開始させる上記第一の閾値とを設定してもよい。
【０１０１】
例えば、ＣＰＵ８２は、図１２に示すような設定画面を液晶表示装置４０に表示する。ユーザは、図１２の設定画面中の“近景ＥＶＦ使用焦点距離”の右にあるボックスに任意の数値を入力することで、ワイド端側のどの焦点距離でファインダ装置１５をＯＶＦからＥＶＦに切り替えるかを指定することができる。また、ユーザは、図１２の設定画面中の “遠景ＥＶＦ使用焦点距離”の右にあるボックスに任意の数値を入力することで、テレ端側のどの焦点距離でファインダ装置１５をＯＶＦからＥＶＦに切り替えるかを指定することができる。また、ユーザは、図１２の設定画面中の“ＯＶＦ切り替え焦点距離”の右にあるボックスに任意の数値を入力することで、上記第一の閾値を指定することができる。
【０１０２】
また、ユーザは、図１２の設定画面中の“ＯＶＦ切り替え時のＥＶＦ使用”の右にあるボックスに“使用する”又は“使用しない”の情報を入力することで、変倍レンズ６４の移動中に表示部６１に画像を表示させるかどうかを指定することができる。このボックスに“使用しない”を入力すると、図３，４で説明したように、変倍レンズ６４の移動中は、ファインダ装置１５の接眼窓１７からは真っ暗な画面しか確認できなくなる。一方、このボックスに“使用する”を入力すると、図６で説明したように、変倍レンズ６４の移動中は、ファインダ装置１５の接眼窓１７から擬似的なＯＶＦ光学像を確認することができるようになる。
【０１０３】
図１２の設定画面には、ズームメモリ７０’も表示されており、各ボックスに入力された数値にしたがって、その表示が変更される。各ボックスに入力された数値に対応するブロックは、それ以外のブロックとは区別できるよう、菱形で表示される。
【０１０４】
図１３は、図１２の設定画面にしたがって設定を行った後の撮影モード時にファインダ装置１５の接眼窓１７から見える観察像を示す図である。図１３に示すように、接眼窓１７からはズームメモリ７０’を常に確認することができる。このため、ユーザは、ファインダ装置１５の機能の切り替わりタイミングを事前に知ることができ、好みにあった使い方が可能になる。
【０１０５】
図１４は、図１２に示した設定画面にしたがって各種焦点距離を設定したときのデジタルカメラ１０の撮影モード時の動作を説明するためのフローチャートである。図１４に示した“Ａ”は、図３の“Ａ”と接続される。
【０１０６】
図３のステップＳ４でズーム操作がなされると、ＣＰＵ８２は、焦点距離が“近景ＥＶＦ使用焦点距離”に設定された値未満かどうかを判定する（ステップＳ６１）。ステップＳ６１の判定がＮＯとき、ＣＰＵ８２は、焦点距離が“遠景ＥＶＦ使用焦点距離”に設定された値以上かどうかを判定する（ステップＳ６２）。ステップＳ６１の判定とステップＳ６２の判定が共にＹＥＳのとき、ＣＰＵ８２は、ＯＶＦシャッタ６２を閉状態に制御し（ステップＳ６４）、撮像素子２１ａで撮影して得られる撮像画像を表示部６１に表示させて（ステップＳ６５）、ファインダ装置１５をＥＶＦとして動作させる。ステップＳ６５の後はステップＳ６１に移行する。
【０１０７】
ステップＳ６２の判定がＮＯのとき、ＣＰＵ８２は、“ＯＶＦ切り替え時のＥＶＦ使用”の設定が“使用する”になっているかを判定する（ステップＳ６３）。ステップＳ６３の判定がＹＥＳのとき、ＣＰＵ８２は、図６のステップＳ７以降の処理を行い、ステップＳ６３の判定がＮＯのとき、ＣＰＵ８２は、図４のステップＳ７以降の処理を行う。
【０１０８】
以上のように、ワイド端付近とテレ端付近ではファインダ装置１５をＥＶＦとして動作させ、ワイド端とテレ端の間の焦点距離ではファインダ装置１５をＯＶＦとして動作させることができる。また、図１２の設定画面で各種焦点距離を設定できるため、ファインダ装置１５を自由にカスタマイズすることができる。
【０１０９】
また、上記第一の閾値は、焦点距離を増加させていくときのものと、焦点距離を減少させていくときのものとで別の値に設定できるようにしてもよい。
【０１１０】
ここまでの説明では、撮影モード時における動作を説明した。撮影モードには、静止画撮影を行って静止画像データを記録媒体４２に記録する静止画撮影モードと、連続撮影を行って複数の静止画像データからなる動画像データを記録媒体４２に記録する動画撮影モードと、連続撮影を行って表示部６１や表示部４０にライブビュー画像を表示するライブビューモードとが含まれる。ここまで説明してきた実施形態の内容は、いずれのモードにおいても適用可能である。しかし、動画撮影モードにおいては、変倍レンズ６４が移動したときに、この移動の音が録音されてしまう可能性がある。
【０１１１】
そこで、ＣＰＵ８２が、動画撮影モード時においては、変倍レンズ６４の出し入れを禁止することが好ましい。
【０１１２】
図１５は、動画撮影モード時におけるデジタルカメラ１０の動作を説明するためのフローチャートである。図１５における“Ａ”と“Ｂ”はそれぞれ図３の“Ａ”、“Ｂ”に接続される。
【０１１３】
ＯＶＦシャッタ６２が開状態で表示部６１にはＢＦ枠とＡＦ枠が表示されているときにズーム操作があると（図３のステップＳ４：ＹＥＳ）、図１５のステップＳ７の処理が行われる。
【０１１４】
ステップＳ７の判定がＹＥＳのとき、ＣＰＵ８２は、ＯＶＦシャッタ６２が閉状態かどうかを判定する（ステップＳ７１）。ステップＳ７１の判定がＮＯのとき、ＣＰＵ８２はＯＶＦシャッタ６２を閉状態に制御し（ステップＳ７２）、撮像素子２１ａによって撮影された撮像画像（焦点距離＝１００ｍｍのときの撮像画像）を表示部６１に縮小表示させる（ステップＳ７３）。ステップＳ７３において、ＣＰＵ８２は、図６のステップＳ２１のときと同様に、焦点距離＝１００ｍｍのときに表示部６１に表示されるＢＦ枠と同じ位置に縮小画像を表示させる。ステップＳ７３の後、ＣＰＵ８２は図４のステップＳ４の処理を行う。
【０１１５】
ステップＳ７１の判定がＹＥＳのとき、ＣＰＵ８２は、表示部６１に表示させる撮像画像を焦点距離に応じて拡大又は縮小する（ステップＳ７４）。ステップＳ７４の後、ＣＰＵ８２は図３のステップＳ４の処理を行う。
【０１１６】
例えば、図１６のＦＩＧ１６Ａの状態から望遠側にズーム操作がなされて、観察像がＦＩＧ１６Ｂ（焦点距離＝１００ｍｍ）のようになり、更に望遠側にズーム操作がなされて焦点距離が１０１ｍｍになると、観察像はＦＩＧ１６Ｃに示すようになる。
【０１１７】
そして、図１６のＦＩＧ１６Ｃの状態から望遠側にズーム操作がなされると、観察像はＦＩＧ１６Ｄのようになり、更に望遠側にズーム操作がなされると、観察像はＦＩＧ１６Ｅのようになる。広角側にズーム操作がなされた場合には、表示部６１に表示される撮像画像が縮小されていく（ＦＩＧ１６Ｅ→ＦＩＧ１６Ｄ→ＦＩＧ１６Ｃのように変化する）。
【０１１８】
図１５のステップＳ７の判定がＮＯのとき、ＣＰＵ８２は、ＯＶＦシャッタ６２が閉状態かどうかを判定する（ステップＳ７５）。ステップＳ７５の判定がＹＥＳのとき、ＣＰＵ８２はＯＶＦシャッタ６２を開状態に制御し、その後、図３のステップＳ３の処理を行う（観察像は図１６のＦＩＧ１６ＣからＦＩＧ１６Ｂのように変化する）。ステップＳ７５の判定がＮＯのとき、ＣＰＵ８２は図３のステップＳ３の処理を行う。
【０１１９】
以上のように、動画撮影モード時には変倍レンズ６４の移動を禁止することで、変倍レンズ６４の動作音が録音されてしまうのを防ぐことができ、高品質の動画撮影に可能になる。
【０１２０】
また、焦点距離が第一の閾値以上になった後は、表示部６１に表示される撮像画像がズーム倍率に応じた大きさで表示される。このため、焦点距離が第一の閾値を跨いで変化するときに、ファインダ装置１５の接眼窓１７から見える撮影範囲内の被写体像の大きさが急激に変化することがなくなり、ユーザに違和感を与えずにすむ。
【０１２１】
ここまでの説明では、デジタルカメラ１０のファインダ装置１５に含まれる変倍レンズ６４を１つとしているが、ファインダ装置１５は変倍レンズ６４を複数個有し、これらを切替えて挿入できるものであってもよい。
【０１２２】
以上説明したように、本明細書には以下の事項が開示されている。
【０１２３】
開示された撮像装置は、焦点距離可変の撮影光学系と、上記撮影光学系を介して撮像を行う撮像素子と、上記撮影光学系とは異なる光学系を介して被写体を観察可能なファインダ装置とを有する撮像装置であって、上記ファインダ装置は、上記ファインダ装置の光路上に挿脱可能かつ上記ファインダ装置の焦点距離を変更するための少なくとも１つの変倍レンズと、上記ファインダ装置の被写体側ファインダ窓から入射する光を遮断して上記ファインダ装置の接眼窓へのその光の入射を禁止する閉状態と上記被写体側ファインダ窓から入射する光を通過させてその光を上記接眼窓に入射させる開状態とを切り替え可能なファインダシャッタとを含み、上記撮影光学系の焦点距離に応じて上記変倍レンズの挿脱を制御する変倍レンズ制御部と、上記ファインダシャッタの状態を制御するファインダシャッタ制御部とを備え、上記ファインダシャッタ制御部は、上記変倍レンズ制御部によって上記変倍レンズが挿脱のために移動されている間は、上記ファインダシャッタを閉状態に制御するものである。
【０１２４】
開示された撮像装置は、上記ファインダ装置は、画像を表示する表示部を含み、上記表示部に表示される画像は、上記ファインダシャッタが開状態及び閉状態のいずれにおいても上記接眼窓から観察可能であり、上記ファインダシャッタが開状態のときに、上記表示部に表示される画像と上記被写体側ファインダ窓から入射して上記接眼窓に入射する光像とが重畳された像を上記接眼窓から観察可能に構成されるものである。
【０１２５】
開示された撮像装置は、上記変倍レンズの移動中に、上記変倍レンズの移動開始直前に上記撮像素子によって撮像された撮像画像を拡大又は縮小しながら上記表示部に表示させる表示制御部を備え、上記表示制御部は、上記ファインダ装置の焦点距離が増加する方向に上記変倍レンズが移動しているときは上記撮像画像を拡大しながら上記表示部に表示させ、上記ファインダ装置の焦点距離が減少する方向に上記変倍レンズが移動しているときは上記撮像画像を縮小しながら上記表示部に表示させるものである。
【０１２６】
開示された撮像装置は、上記表示制御部が、上記ファインダ装置の焦点距離が増加する方向に上記変倍レンズが移動開始したときは、上記変倍レンズの移動が完了したときに上記撮像画像の大きさと上記接眼窓から見える観察像の大きさとが一致するように上記撮像画像を拡大表示させていき、上記ファインダ装置の焦点距離が減少する方向に上記変倍レンズが移動開始したときは、上記変倍レンズの移動が完了したときに上記撮像画像の大きさと上記接眼窓から見える観察像における撮影範囲の大きさとが一致するように上記撮像画像を縮小表示させていく撮像装置。
【０１２７】
開示された撮像装置は、上記変倍レンズ制御部は、上記撮影光学系の焦点距離が増加してその焦点距離が予め設定された閾値に達したときと、上記撮影光学系の焦点距離が減少してその焦点距離が予め設定された閾値を下回ったときに、上記変倍レンズの移動を開始し、撮影動作中、上記表示部には、上記撮影光学系の焦点距離の設定可能範囲と、上記設定可能範囲における現時点での上記撮影光学系の焦点距離の位置とを示す情報が表示され、上記設定可能範囲にある上記閾値となる焦点距離を示す情報は、上記設定可能範囲にある他の焦点距離に対応する情報とは区別して表示されるものである。
【０１２８】
開示された撮像装置は、上記変倍レンズ制御部は、上記撮影光学系の焦点距離が増加してその焦点距離が予め設定された閾値に達したときと、上記撮影光学系の焦点距離が減少してその焦点距離が上記閾値を下回ったときに、上記変倍レンズの移動を開始し、上記閾値を外部操作に応じて設定する閾値設定部を備えるものである。
【０１２９】
開示された撮像装置は、上記閾値を外部操作に応じて設定する閾値設定部を備えるものである。
【０１３０】
開示された撮像装置は、上記ファインダ装置は、上記撮影光学系の焦点距離が最小値から上記閾値よりも小さい第二の閾値までの範囲と、上記撮影光学系の焦点距離が上記閾値より大きい第三の閾値から最大値までの範囲では、上記ファインダシャッタを閉状態にして上記撮像素子によって撮影される撮像画像を上記表示部に表示し、
上記閾値設定部は、外部操作に応じて上記閾値、上記第二の閾値、及び上記第三の閾値を設定するものである。
【０１３１】
開示された撮像装置は、上記変倍レンズ制御部は、上記変倍レンズを移動させている間に、上記撮影光学系の焦点距離が、上記変倍レンズの移動開始時よりも前の値に変更された場合は、上記変倍レンズを移動開始時点の位置に戻すように上記変倍レンズを制御するものである。
【０１３２】
開示された撮像装置は、上記変倍レンズ制御部は、動画を記録する動画撮影モード時には、上記変倍レンズの移動を禁止する制御を行うものである。
【産業上の利用可能性】
【０１３３】
本発明によれば、ファインダ装置の観察者に違和感を与えることなく、ファインダ倍率を変更することのできる撮像装置を提供することができる。【０１３４】
本発明を詳細にまた特定の実施態様を参照して説明したが、本発明の精神と範囲を逸脱することなく様々な変更や修正を加えることができることは当業者にとって明らかである。
本出願は、２０１１年９月２８出願の日本特許出願（特願２０１１−２１３１２７）に基づくものであり、その内容はここに参照として取り込まれる。
【符号の説明】
【０１３５】
１０  デジタルカメラ
１５  ファインダ装置
１６  被写体側ファインダ窓
１７  接眼窓
３２  ＣＰＵ
５３，５４  ドライバ
６２  ＯＶＦシャッタ
６４  変倍レンズ
【図１】
0005608819.tif 000002
【図２】
0005608819.tif 000003
【図３】
0005608819.tif 000004
【図４】
0005608819.tif 000005
【図５】
0005608819.tif 000006
【図６】
0005608819.tif 000007
【図７】
0005608819.tif 000008
【図８】
0005608819.tif 000009
【図９】
0005608819.tif 000010
【図１０】
0005608819.tif 000011
【図１１】
0005608819.tif 000012
【図１２】
0005608819.tif 000013
【図１３】
0005608819.tif 000014
【図１４】
0005608819.tif 000015
【図１５】
0005608819.tif 000016
【図１６】
0005608819.tif 000017